(57)【要約】【課題】車椅子などによる壁面の損傷や破損を防止でき、施工性がよく、かつ意匠的効果にもすぐれた積み上げ式幅木を提供する。【解決手段】露出面２１と壁取付面２２とを有し、床面と壁面との見切り部分に添設される基礎幅木２０と、露出面１１と壁取付面１２とを有し、基礎幅木２０の上方に順次、積み上げられて壁面に添設される少なくとも１以上の連設用幅木１０とを組み合わせて構成される積み上げ式１の幅木であって、基礎幅木２０と連設用幅木１０は、露出面側に面取傾斜面２３ｂ、１３ｂを形成した平坦部２３ａ、１３ａを有した上端面２３、１３を備えるとともに、連設用幅木１０の下端面１４は、基礎幅木２０または連設用幅木１０の上端面２３、１３に形成された平坦部２３ａ、１３ａの全体と面取傾斜面２３ｂ、１３ｂの一部とを覆い隠す、積み上げ用凹所１５を備えている。【選択図】図１
2008291547.tif 000002
【特許請求の範囲】
【請求項１】
露出面と壁取付面とを有し、床面と壁面との見切り部分に添設される基礎幅木と、露出面と壁取付面とを有し、該基礎幅木の上方に順次、積み上げられて壁面に添設される少なくとも１以上の連設用幅木とを組み合わせて構成される積み上げ式の幅木であって、
上記基礎幅木と上記連設用幅木は、上記露出面側に面取傾斜面を形成した平坦部を有した上端面を備えるとともに、
上記連設用幅木の下端面は、上記基礎幅木または上記連設用幅木の上端面に形成された平坦部の全体と、上記面取傾斜面の一部とを覆い隠す、積み上げ用凹所を備えていることを特徴とする積み上げ式幅木。
【請求項２】
露出面と壁取付面とをそれぞれに有した複数の連設用幅木を順次、積み上げて、床面と壁面との見切り部分を含む壁面に添設される積み上げ式の幅木であって、
上記連設用幅木は、上記露出面側に面取傾斜面を形成した平坦部を有した上端面を備えるとともに、下端面には、その直下にある連設用幅木の上端面に形成された平坦部の全体と、上記面取傾斜面の一部とを覆い隠す、積み上げ用凹所を備えていることを特徴とする積み上げ式幅木。
【請求項３】
請求項１または２において、
上記積み上げ用凹所は、直下に設置される上記基礎幅木、上記連設用幅木のいずれかの上端面に形成された平坦部に当接整合する内底面と、平坦な底面を有し、上記面取傾斜面に当接整合する傾斜面を有して該内底面よりも下方に突出させた脚部とを備えた構造となっている積み上げ式幅木。
【請求項４】
請求項１〜３のいずれか１項において、
上記上端面を含めて露出面は、化粧シートを貼付けた化粧面が形成されている積み上げ式幅木。
【発明の詳細な説明】
【技術分野】
【０００１】
本発明は、室内外の壁面に添設する積み上げ式幅木に関するものである。
【背景技術】
【０００２】
幅木は、住宅などの室内や廊下の壁面下端の床面との境界（見切り部分）に取り付けられ、見切り部分に生じるすき間などを隠すとともに、見切り部分を防護し、さらに外観向上のためにも使用されている。
【０００３】
一般に幅木には、側壁間の幅サイズを有した１枚の化粧板が使用されるが、複数の材料を組み合わせて高さを高くして、車椅子の車輪による壁面の損傷や破損を防止したものも提案されている。
【０００４】
例えば、特許文献１に示されたものは、幅木の上方に、受け部材と表面板よりなる壁面ガードを積み上げて、その壁面ガードによって車椅子の車輪からの防護を図っている。また、特許文献２に示されたものは、下部幅木部材に、化粧パネル材と上部押え縁部材とを積み上げて構成され、高さを約３０〜３５ｃｍとしている。
【特許文献１】特開２００２−５４２５２号公報
【特許文献２】特開２００３−３６６２号公報
【発明の開示】
【発明が解決しようとする課題】
【０００５】
しかしながら、特許文献１のものでは、従来使用されている幅木に、この幅木と形状の全く異なる壁面ガードを連設しているため、壁面防護の機能は十分に果たしているものの、美観の向上はほとんど期待できない。また、特許文献２のものは、３部材で幅木を構成するため、素材や表面模様を共通にすることで一体感や意匠的効果を持たせることができるが、従来の幅木をそのまま使用することはできないし、施工も面倒である。
【０００６】
また、図５に示すように、従来使用されている幅木１００を床面Ｆより積み上げ施工して、所定の高さにして壁面Ｗを防護することもできるが、下の幅木の上端１０２に載せ置くだけの構成であるため、上下の結合関係が弱いうえ、上下幅木１００の重合部１０１にわずかなすき間ができた場合、そのすき間が表面に露出され、美観を悪くするおそれがある。さらに、重合部１０１の前面側には上端の面取傾斜面１０３による一定幅を有した見かけ上の溝１０４が形成されるため、その溝１０４の溝幅によっては意匠的効果を損なうおそれもある。また、その溝１０４において上の幅木１００の下端面の一部が露出されるが、下端面には化粧シート１０６が形成されていないため、基材がそのまま露出されてしまう。なお図中の１０５は、アクセント用に設けた凹溝である。
【０００７】
一方、複数の幅木部材を、ほぞ構造で結合して積み上げる方法も想定できるが、位置決めが面倒で、施工性はよくない。また、従来使用されている幅木を使用することもできない。
【０００８】
本発明は、このような事情を考慮して提案されたもので、その目的は、車椅子などによる壁面の損傷や破損を防止でき、施工性がよく、かつ意匠的効果にもすぐれた積み上げ式幅木を提供することにある。
【課題を解決するための手段】
【０００９】
上記目的を達成するために、本発明者は、２種の幅木を組み合わせて構成される積み上げ式幅木と、１種の幅木を複数組み合わせて構成される積み上げ式幅木の２つの発明を提案している。
【００１０】
第１の本発明である請求項１に記載の積み上げ式幅木は、露出面と壁取付面とを有し、床面と壁面との見切り部分に添設される基礎幅木と、露出面と壁取付面とを有し、該基礎幅木の上方に順次、積み上げられて壁面に添設される少なくとも１以上の連設用幅木とを組み合わせて構成される積み上げ式の幅木であって、基礎幅木と連設用幅木は、露出面側に面取傾斜面を形成した平坦部を有した上端面を備えるとともに、連設用幅木の下端面は、基礎幅木または連設用幅木の上端面に形成された平坦部の全体と面取傾斜面の一部とを覆い隠す、積み上げ用凹所を備えている。
【００１１】
第２の本発明である請求項２に記載の積み上げ式幅木は、露出面と壁取付面とをそれぞれに有した複数の連設用幅木を順次、積み上げて、床面と壁面との見切り部分を含む壁面に添設される積み上げ式の幅木であって、連設用幅木は、露出面側に面取傾斜面を形成した平坦部を有した上端面を備えるとともに、下端面には、その直下にある連設用幅木の上端面に形成された平坦部の全体と、面取傾斜面の一部とを覆い隠す、積み上げ用凹所を備えていることを特徴とする。
【００１２】
請求項３では、積み上げ用凹所が、直下に設置される基礎幅木、連設用幅木のいずれかの上端面に形成された平坦部に当接整合する内底面と、平坦な底面を有し、面取傾斜面に当接整合する傾斜面を有して内底面よりも下方に突出させた脚部とを備えた構造となっている。
【００１３】
請求項４では、上端面を含めて露出面は、化粧シートを貼付けて化粧面が形成されている。
【発明の効果】
【００１４】
第１の本発明である請求項１に記載の積み上げ式幅木によれば、ほぞ構造などによらず、基礎幅木と１以上の連設用幅木とよりなる複数の幅木を組み合わせて、下方の幅木の上端面に上方の幅木の下端面を当接整合させて積み上げて壁面に固着するだけの構成であるため、施工性がよく、簡易に車椅子対応の壁面保護型の幅木を形成することができる。また、基礎幅木として従来使用されている幅木を使用して、積み上げ施工できるため、ジョイント部材や種々の結合部材を準備する必要がなく、リフォームにも利用できる。また、連設用幅木の高さ、表面模様などの外観を基礎幅木に合わせれば、一体感を持たせることもできる。
【００１５】
また、連設用幅木の下端面には、幅木の上端面に形成された平坦部の全体と面取傾斜面の一部とを覆い隠す積み上げ用凹所を形成させているため、複数の幅木を適度な係合関係でもって積み上げができ、積み上げる際の位置決めが容易にできる。さらに、直下の幅木の平坦部を隠す構造であるため、上下の幅木の重合部にできたわずかなすき間を隠すことができ、美観上の問題もない。
【００１６】
さらに、幅木を複数段積み上げたときに、上下の幅木の重合によって、面取傾斜面の一部を露出させているので、一定幅の見かけ上の溝が生じ、アクセントラインとなり、意匠的効果も期待できる。
【００１７】
第２の本発明である請求項２に記載の積み上げ式幅木によれば、複数の連設用幅木を、ほぞ構造などによらず、積み上げて壁面に固着するだけの構成であるため、施工性がよく、簡易に車椅子対応の壁面保護型の幅木を形成することができる。また、第１の本発明の上記種々の効果とほぼ同様の効果が期待できる。また、積み上げ式幅木が１種類の連設用幅木を複数組み合わせて構成されるため、生産管理、在庫管理も容易になる。
【００１８】
請求項３に記載の積み上げ式幅木によれば、連設用幅木の積み上げ用凹所が、直下に設置される幅木の上端面に形成された平坦部に当接整合する内底面と、面取傾斜面に当接整合する傾斜面を有して内底面よりも下方に突出させた脚部とを有しているため、脚部によって両幅木の平坦部と内定面との当接部を隠すことができる。また、脚部の高さ調整をすることで、見かけ上の溝による意匠的効果を異ならせることもできる。
【００１９】
また、脚部が平坦な底面を有しているため、連設用幅木をそのまま基礎幅木として使用した場合に、安定性がよく、脚部で床面を傷つけることもなく、脚部が破損するおそれもない。
【００２０】
請求項４に記載の積み上げ式幅木によれば、上端面を含めて露出面に化粧シートを貼付けて化粧面を形成しているため、積み上げ施工後に塗装の必要はなく、また芯材を保護でき、見栄えもよい。また、連設用幅木の下端面にも化粧シートを形成すれば、積み上げることによって下端面が露出される場合であっても、化粧面となっているため見栄えがよい。
【発明を実施するための最良の形態】
【００２１】
以下に、本発明の実施の形態について、添付図面とともに説明する。
【００２２】
第１、２の本発明の積み上げ式幅木に使用する連設用幅木と基礎幅木の一例の各縦断面図を、図４（ａ）、（ｂ）に示す。
【００２３】
連設用幅木１０と基礎幅木２０とは、天然木無垢材、木粉混入の樹脂板、塩化ビニル樹脂などを素材とした化粧板で構成される。高さを３０〜１５０ｍｍ、厚みを５〜１０ｍｍとすることが好適であるが、これには限定されない。特に高さは、後述するように、これらを積み上げて使用するものであるため、既存の幅木よりもさらに低いものでもよい。幅は、施工する壁面の幅によって定まり、任意のサイズのものが使用できる。
【００２４】
連設用幅木１０は、露出面１１と壁取付面１２と上端面１３と下端面１４と両側端面（不図示）とを有している。
【００２５】
露出面１１は、例えば幅木１０を住宅の室内に取り付けると、室内側に露出される面であり、その面には長手方向に沿って連続した凹溝１１ａが形成されている。この凹溝１１ａは、意匠性向上のためにアクセントラインとして設けられたものであるが、幅木１０を壁面に固着させる際の釘打ちにも利用できる。壁取付面１２は、壁面に添着させるために、平坦面に形成されている。
【００２６】
上端面１３には、平坦部１３ａが形成されており、この平坦部１３ａの露出面１１側の縁は面取加工され面取傾斜面１３ｂが形成されている。
【００２７】
下端面１４には、露出面１１側に長手方向に沿って連続する脚部１６が形成され、その脚部１６によって、積み上げ用凹所１５が形成されている。後述するように、この積み上げ用凹所１５は幅木を直下の幅木に積み上げるために使用される。
【００２８】
これら積み上げ用凹所１５と脚部１６とによって形成される下端面１４は、平坦な内底面１４ａと、脚部１６の内壁面を形成する傾斜面１４ｂと、脚部１６の底面１４ｃとよりなる。
【００２９】
また、脚部１６は、直下の幅木の面取傾斜面の全面と当接させようとすると下端を尖形にする必要があるが、本例では、その尖形形状より下端の三角柱部分Ｔを取り除いた形状に形成されており、脚部１６の底面１４ｃは平坦面に形成されている。すなわち本例では、脚部１６は、その傾斜面１４ｂの面幅が上端面１３の面取傾斜面１３ｂの面幅よりも短くなるように形成されている。もちろん、このような形状には限定されない。
【００３０】
このような連設用幅木１０の下端面１４の形状は、上述した上端面１３、あるいは後述する基礎幅木２０の上端面２３のいずれにも当接整合できるように形成されている。
【００３１】
一方の基礎幅木２０は、露出面２１と壁取付面２２と上端面２３と下端面２４と両側端面（不図示）とを有している。
【００３２】
露出面２１は、連設用幅木１０と同様に、長手方向に沿って連続した凹溝２１ａが形成され、壁取付面２２は、壁面に添着させるために、平坦面に形成されている。
【００３３】
上端面２３には、平坦部２３ａが形成されており、露出面２１側に向けて面取加工した面取傾斜面２３ｂが形成されている。また、下端面２４は平坦に形成されている。
【００３４】
このような基礎幅木２０は、従来、住宅等に使用されている公知の幅木をそのまま使用することもできる。
【００３５】
また、連設用幅木１０の露出面１１、上端面１３、下端面１４は、樹脂製の化粧シート３０が貼り付けられた化粧面に形成されている。また基礎幅木２０の露出面２１、上端面２３も、樹脂製の化粧シート３０が貼り付けられた化粧面が形成されている。なお、幅木の製造上の利便性を考慮して、基礎幅木２０の下端面２４にも化粧シート３０を施してもよい。
【００３６】
また、連設用幅木１０の下端面１４は、化粧シート３０を施さなくてもよいが、連設用幅木１０を積み上げ式幅木の２段目以降に使用する場合、脚部１６の底面１４ｃが露出されることを考慮すれば、化粧シートを形成しておくほうが好ましい。
【００３７】
ついで、第１、２の本発明の積み上げ式幅木について、図４に示した各部材を参照しながら、順次説明する。
【００３８】
図１（ａ）は、第１の本発明の一例である積み上げ式幅木の一部断面を含む概略斜視図、（ｂ）は（ａ）のＡ部分の拡大図である。
【００３９】
この積み上げ式幅木１は、基礎幅木２０と１以上の連設用幅木１０とを組み合わせて構成されたもので、基礎幅木２０は床面Ｆと壁面Ｗとの見切り部分に添設され、連設用幅木１０はその基礎幅木２０の上方に順次、積み上げられて壁面Ｗに添設される。
【００４０】
図１（ｂ）に示すように、基礎幅木２０と連設用幅木１０の重合部３では、基礎幅木２０の上端面２３と、連設用幅木１０の下端面１４とが相互に接合されている。具体的には、基礎幅木２０の上端面２３の平坦部２３ａの全体と、連設用幅木１０の下端面１４の内底面１４ａの全体とが当接整合し、かつ基礎幅木２０の上端面２３の面取傾斜面２３ｂの一部と、連設用幅木１０の下端面１４の傾斜面１４ｂの全体とが当接整合する。つまり、重合部３は、平坦当接部３ａと、傾斜当接部３ｂとよりなる。
【００４１】
このような重合により、基礎幅木２０の上端面２３は、連設用幅木１０の下端に形成された積み上げ用凹所１５によってほぼ覆われた状態となる。その結果、平坦当接部３ａは、連設用幅木２０の下端に設けた脚部１６によって完全に隠されて、表面には露出されず、また面取傾斜面２３ｂの一部は、脚部１６の内側傾斜面１４ｂによって覆い隠される。
【００４２】
面取傾斜面２３ｂの、脚部１６の傾斜面１４ｂと当接していない面は、表面に露出され、その露出面と脚部１６の底面１４ｃとよりできた三角柱部分Ｔの空間は、積み上げ式幅木１を一体として正面より見た場合、長手方向に沿って連続する一定幅の重合溝４を形成する。
【００４３】
この重合溝４は、積み上げ式幅木１の施工後に、アクセントラインとするために、０．５〜３ｍｍ程度の幅とすることが望ましい。すなわち、アクセントラインとなりえる程度の幅の重合溝が生成されるような高さを有した脚部１６を、連設用幅木１０の下端に形成すれば、積み上げ施工した際に意匠的効果の高い積み上げ式幅木１となる。
【００４４】
また、重合溝を形成させないように脚部を尖形とし、面取傾斜面２３ｂの全面を覆い隠してもよいが、製造誤差により、そのラインが微小幅の溝を形成したり、ずれたりして美観を損なわせるおそれもあるため、本例のように脚部１６は面取傾斜面２３ｂの一部を露出させるような高さに形成することが望ましい。
【００４５】
以上の積み上げ式幅木１の構成によれば、ほぞ構造などによらず、基礎幅木２０と１以上の連設用幅木１０とよりなる複数の幅木を組み合わせて、基礎幅木２０の上端面２３に連設用幅木１０の下端面１４を当接整合させて積み上げるだけの構成であるため、施工性がよく、車椅子の車輪などによる損傷、破損を防止できる壁面保護型の幅木を形成することができる。
【００４６】
また、基礎幅木２０として従来使用されている幅木を使用できるため、積み上げ式幅木１を添設するために、ジョイント部材や種々の結合部材を準備する必要がなく、容易に実現でき、リフォームにも利用できる。また、連設用幅木１０の高さ、表面模様などの外観を基礎幅木２０に合わせれば、一体感を持たせることができる。
【００４７】
また、連設用幅木１０の下端面１４には、基礎幅木２０の上端面２３をほぼ覆い隠す積み上げ用凹所１５を形成させているため、基礎幅木２０と連設用幅木１０とを適度な係合関係でもって積み上げができ、積み上げる際の位置決めが容易にできる。
【００４８】
図１の例では、基礎幅木２０に１つの連設用幅木１０を積み上げて２段構成としているが、さらに連設用幅木１０を積み上げて、３段以上の積み上げ式幅木を構成してもよい。その際の連設用幅木１０同士の重合については、上述した基礎幅木２０と連設用幅木１０との関係と同様であり、また後述する第２の本発明における連設用幅木１０同士の重合と同様であるため、ここでは説明を省略する。
【００４９】
図２（ａ）は、第２の本発明の一例である積み上げ式幅木の一部断面を含む概略斜視図、（ｂ）は（ａ）のＢ部分の拡大図である。
【００５０】
この積み上げ式幅木２は、複数の連設用幅木１０を組み合わせて構成されたものである。つまり、床面Ｆと壁面Ｗとの見切り部分には１つの連設用幅木１０が添設され、さらに他の連設用幅木１０が、基礎となった連接用幅木１０の上方に順次、積み上げられて壁面Ｗに添設される。なお、図２および以下の説明では、下段の連設用幅木１０とその上方に積み上げる上段の連設用幅木とを区別するため、下段幅木には符号１０Ａを、上段幅木には符号１０Ｂを付している。
【００５１】
図１の積み上げ式幅木１と同様に、２つ連設用幅木１０Ａ、１０Ｂ同士の重合部では、下段幅木１０Ａの上端面１３と、上段幅木１０Ｂの下端面１４とが相互に接合されている。具体的には、下段幅木１０Ａの上端面１３の平坦部１３ａの全体と、上段幅木１０Ｂの下端面１４の内底面１４ａの全体とが当接整合し、かつ下段幅木１０Ａの上端面１３の面取傾斜面１３ｂの一部と、上段幅木１０Ｂの下端面１４の傾斜面１４ｂの全体とが当接整合する。つまり、重合部３は、平坦当接部３ａと、傾斜当接部３ｂとよりなる。
【００５２】
このような重合により、下段幅木１０Ａの上端面１３は、上段幅木１０Ｂの下端に形成された積み上げ用凹部１５によってほぼ覆われた状態となる。その結果、平坦当接部３ａは、上段幅木１０Ｂの下端に設けた脚部１６によって完全に隠され、表面には露出されず、また面取傾斜面１３ｂの一部は、脚部１６の内側傾斜面１４ｂによって覆い隠される。
【００５３】
下段幅木１０Ａの面取傾斜面１３ｂの、上段幅木１０Ｂの脚部１６の傾斜面１４ｂと当接していない面は、表面に露出され、その露出面と上段幅木１０Ｂの脚部１６の底面１４ｃとよりできた三角柱Ｔの空間は、積み上げ式幅木２を一体として正面より見た場合、長手方向に沿って連続する一定幅の重合溝４を形成する。
【００５４】
この重合溝４は、０．５〜３ｍｍ程度の幅とすることが望ましく、積み上げ式幅木１の施工後には、この重合溝４がアクセントラインとなる。すなわち、アクセントラインとなりえる程度の幅の重合溝が生成されるような高さを有した脚部１６を、連設用幅木１０の下端に形成すれば、積み上げ施工した際に意匠性の高い積み上げ式幅木２を生成することができる。
【００５５】
また、下段幅木１０Ａの面取傾斜面１３ｂの全面を覆い隠してもよいが、製造誤差により、そのラインは、微小幅の溝を形成したり、歪んだりして美観を損なわせるおそれもあるため、脚部１６は下段幅木１０Ａの面取傾斜面１３ｂの一部を露出させるような高さに形成することが望ましい。
【００５６】
図２（ｂ）に示すように、下段の連設用幅木１０Ａは、床面Ｆに対して脚部１６の底面１４ｃのみが当接しているが、壁取付面１２が壁面Ｗに固着しているため、強度、安定性、美観にはなんら支障がない。また、下端面１４と床面Ｆとの間には、積み上げ用凹所１５による空間Ｓが形成されているが、前面を脚部１６によって閉塞された空間であるため、ゴミや埃などが入り込むことはほとんどない。
【００５７】
以上の積み上げ式幅木２の構成によれば、複数の連設用幅木１０を、ほぞ構造によらず、積み上げるだけの構成であるため、施工性がよく、簡易に車椅子対応の壁面保護型の幅木を形成することができる。また、第１の本発明の積み上げ式幅木の効果と同様の効果が期待できる。
【００５８】
また、第２の本発明では、連設用幅木１０を、第１の本発明の積み上げ式幅木１（図１参照）における基礎幅木２０に代えて、基礎となる幅木として使用しているが、下端面１４に形成した脚部１６が平坦な底面１４ｃを有し、かつ壁面Ｗに固着されているため、安定性はなんら問題がなく、脚部１６で床面を傷つけることもなく、脚部１６が破損するおそれもない。
【００５９】
さらに、積み上げ式幅木２が１種類の連設用幅木１０のみによって構成され、他の幅木部材を使用しないため、生産管理、在庫管理がきわめて容易となる。
【００６０】
図３（ａ）は入隅に適用した施工例を示す斜視図、（ｂ）は出隅に適用した施工例を示す斜視図である。なお、幅木の表面に形成されている凹溝については、図示を省略している。
【００６１】
入隅に適用した例は、左右ともに２段の積み上げ式幅木を施工したものを示しており、左側の積み上げ式幅木１は、基礎幅木２０に連設用幅木１０を積み上げて構成され、右側の積み上げ式幅木２は、連設用幅木１０に他の連設用幅木を積み上げて構成されている。
【００６２】
このように、積み上げ式幅木１、２は、入隅にも適用でき、床面Ｆと壁面Ｗとの見切り部分に添設される基礎の幅木として、基礎幅木２０、連設用幅木１０のいずれを使用しても、外観上、なんら変わらず、在庫に応じて適宜選択すればよい。
【００６３】
また、出隅に適用した図３（ａ）の例は、連設用幅木１０を基礎幅木２０に対して、図中の白抜き矢印の方向に、出隅部材４０に沿わせながら積み上げる施工過程を示している。このように、積み上げ式幅木１、２は、出隅にも適用でき、従来使用されている幅木と同様に、壁面Ｗに添設することができる。
【００６４】
また、このような積み上げ式幅木は、基礎となる幅木に積み上げる連設用幅木を、基礎となる幅木と異なる幅サイズにすることもできる。そうすることによって、新規なデザインの部屋を演出することもできる。
【図面の簡単な説明】
【００６５】
【図１】（ａ）は第１の本発明の積み上げ式幅木の実施例の説明図、（ｂ）は（ａ）のＡ部分の拡大図である。
【図２】（ａ）は第２の本発明の積み上げ式幅木の実施例の説明図、（ｂ）は（ａ）のＢ部分の拡大図である。
【図３】（ａ）は入隅に適用した施工例を示す図、（ｂ）は出隅に適用した施工例を示す図である。
【図４】第１、２の本発明の積み上げ式幅木に使用する幅木を説明するための図で、（ａ）は連設用幅木、（ｂ）は基礎幅木の一例を示した各縦断面図である。
【図５】従来使用されている幅木を積み上げて構成した幅木の一部断面とした斜視図である。
【符号の説明】
【００６６】
１，２      積み上げ式幅木
３      重合部
４      重合溝
１０      連設用幅木
１１      露出面
１２      壁取付面
１３      上端面
１３ａ      平坦部
１３ｂ      面取傾斜面
１４      下端面
１４ａ      内底面
１４ｂ      傾斜面
１４ｃ      脚部底面
１５      積み上げ用凹所
１６      脚部
２０      基礎幅木
２１      露出面
２２      壁取付面
２３      上端面
２３ａ      平坦部
２３ｂ      面取傾斜面
２４      下端面
３０      化粧シート
【図１】
2008291547.tif 000003
【図２】
2008291547.tif 000004
【図３】
2008291547.tif 000005
【図４】
2008291547.tif 000006
【図５】
2008291547.tif 000007